(57)【特許請求の範囲】
【請求項１】
記憶装置であって、
ディスク表面を有するディスク記憶媒体と、
予荷重力を有するアーマチュアと、
前記ディスク記憶媒体に近接して前記アーマチュア上に設けられた変換器ヘッドと、
該変換器に結合された変換回路装置と、
前記アーマチュアおよび前記変換器に結合され、前記変換器をディスクに近接して配置するようにされたスライダで、ディスク表面に向いてディスクと共に空気軸受を形成するようにされた空気軸受領域を有し且つ該空気軸受領域から伸びてこのディスク表面とある接触力で接触する接触パッドを有する境界面を含み、該パッドが作動中ディスク表面と接触するに十分な高さを有し、それによって正常作動中のディスク表面と変換器の接触を防ぐスライダとを含み、
前記接触パッドは、記憶装置の正常作動中に、スライダ上の予荷重力と、空気軸受によりスライダに働く揚力と、パッドの接触力とが平衡するまで摩耗するように形成され、磨り減って平衡にする高さを有する、記憶装置において、
前記接触パッドは、ダイヤモンド状炭素（ＤＣＬ）製の犠牲的な磨耗層で被覆され、かつ該ダイヤモンド状炭素（ＤＣＬ）製の被膜は水素が添加されて前記犠牲的な磨耗層の硬さを調節させていることを特徴とする記憶措置。
【請求項２】
請求項１の装置に於いて、前記パッドの高さが前記空気軸受による揚力と前記スライダ上の予荷重力の間の差を補償する、記憶装置。
【請求項３】
請求項１の装置に於いて、前記空気軸受が、接触パッドに作用する接触力を引いた予荷重力と実質的に等しい対抗揚力をもたらす、記憶装置。
【請求項４】
請求項１の装置に於いて、前記スライダがその上に配置された複数の接触パッドを含む、記憶装置。
【請求項５】
請求項４の装置に於いて、前記接触パッドの高さが異なる記憶装置。
【請求項６】
請求項４の装置に於いて、スライダの前縁に近い接触パッドの高さがスライダの後縁に近い接触パッドの高さより高い、記憶装置。
【請求項７】
請求項１の装置であって、複数の接触パッドおよびこれらの接触パッドの各々に近接する個々の空気軸受領域を含む、記憶装置。
【請求項８】
請求項２の装置に於いて、前記空気軸受が作動中スライダ上の衝撃または振動を減衰するための減衰力をもたらす、記憶装置。
【請求項９】
請求項１の装置に於いて、前記パッドが前記変換器を凹凸との接触から守るために十分な浮動高さをもたらす、記憶装置。
【請求項１０】
請求項１の装置に於いて、前記変換器が磁気抵抗ヘッドを含む、記憶装置。
【請求項１１】
請求項１の装置に於いて、前記変換器が磁気光学ヘッドを含む、記憶装置。
【発明の詳細な説明】
【０００１】
（発明の背景）
本発明は、情報を記憶するために使用する種類のディスク記憶システムに関する。更に詳しくは、本発明は、スライダと記憶ディスクの表面の間の境界面に関する。
【０００２】
磁気ディスクドライブは、磁気的にコード化した情報を記憶するために使用する。この磁気ディスクが回転すると、変換ヘッドがこのディスクの表面上を“浮動”する。変換ヘッドを使って、情報のリードバック中にディスク表面から磁界を検知し、情報の書込み中に、ディスク表面に印加する磁界を発生する。ディスクが回転すると、変換ヘッドは、ディスク表面と変換ヘッド組立体の空気軸受スライダの間にできた“空気軸受”によって支持される。スライダ本体は、揚力をもたらす空気力学的特性を有する。
【０００３】
ヘッドスライダとディスク表面の間の間隔を縮めることによって、ディスク表面と変換ヘッドの間の磁気的交互作用を改良できることが知られている。しかし、スライダとディスクの間の間隔を縮めると、浮動高さを正確に維持することが厳しくなる。万一スライダが僅かに下がると、ディスク表面に接触し、この表面を傷つける可能性がある。これは、ディスク表面の凹凸との接触がリードバック信号にエラーを生ずることがある、磁気感応または磁気光学記録ヘッドで特に問題がある。
【０００４】
変換ヘッドとディスク表面の間の間隔を非常に接近させるための一つの技術が、ハミルトンに１９９６年８月２７日に発行された、“局部読み書き強調を行う、サイズ非依存性、硬質ディスク、磁気、ディジタル情報記憶システム”という名称の米国特許第５，５５０，６９１号に記載されている。このハミルトンの参考文献は、ディスク表面を横切ってスライダの表面を引きずる、接触記録用スライダを記載する。
【０００５】
（発明の概要）
情報を記憶するための記憶装置がディスク表面を有するディスク記憶媒体を含む。アーマチュアがディスク表面上に配置され、ディスク表面に近接して磁気抵抗または磁気光学ヘッドを担持する。ディスク表面上に情報を読み書きするために、変換回路装置がヘッドに結合される。ヘッドを担持するために、スライダが、アーマチュアの端近くでアーマチュアに結合され、且つヘッドをディスク表面に近接して配置するようにされている。スライダは、ディスク表面に向いて、ディスク表面と共に空気軸受を形成するようにされた空気軸受領域を有し、且つ該空気軸受領域から伸びる接触記録用の少なくとも一つの接触パッドを有する、境界面を含む。空気軸受は、パッド上の接触力と組合わせると、予荷重力と実質的に等しい対抗揚力をもたらす。
【０００６】
本発明の一態様では、少なくとも一つの接触パッド上に犠牲的な摩耗層を設ける。本発明のもう一つの態様では、接触パッドがこのディスクの作動中に空気軸受と平衡状態である高さを有し、空気軸受がスライダのための衝撃吸収クッションを形成する。
【０００７】
（好適実施例の詳細な説明）
本発明は、回転ディスク記憶媒体に使用するためのスライダの新規設計を提供する。１９９６年８月２７日にハミルトンに発行された米国特許第５，５５０，６９１号は、ディスク表面を横切ってスライダを引きずる、一つの従来技術を示す。このハミルトンの特許は、硬化材料で構成した“脚”を有するスライダを記載する。変換ヘッドをこの脚の一つに埋込む。アーマチュア（armature）によってこの変換ヘッドに掛ける荷重は非常に小さく、それでこのスライダ表面は非常に低い速度で摩耗するように設計されている。しかし、この設計は、スライダをディスク表面にぶつからせることがある、振動またはその他の衝撃に特に敏感である。更に、ハミルトンの特許に示されるこの設計は、垂直記録装置用で、現在磁気抵抗変換素子に使われているもののような、水平記録システムで実施するには適さない。その上、凹凸との衝突が磁気抵抗ヘッドからのリードバックにエラーを生ずるだろう。
【０００８】
本発明は、ディスク記憶媒体に使うためのスライダを含み、それは空気軸受（または“スクイズ膜（squeeze-film）”）を含んで従来技術を超える多くの利点を得る。この設計は、浮動高さ、予荷重力およびパッド高さの間で平衡に達しさせる。これは、パッドの摩耗によって達成する。利点には、外部振動または接触誘起励振に対するスライダの感度低下がある。この追加の空気軸受は、スライダがディスク表面を横切って動くときの振動への減衰機能をもたらす。本発明によるスライダは、スライダの空気軸受表面から伸びる、少なくとも一つの突出パッドを含む。
【０００９】
図１は、ディスク１４上にジンバル１１によって支持されたスライダ１０を示す平面図である。ジンバル１１は、アーム１２に固着されている。アーム１２は、スライダ１０を円弧１８に沿ってディスク１４上の個々のデータトラック（図示せず）の上に配置する。ディスク１４が回転すると、矢印１６（風１６）によって示す方向に風または空気流を発生する。風１６は、矢印２２によって示すように、ディスクの接線速度とほぼ平行である。風１６は、スライダ１０と協同して、スライダ１０をディスク１４から押し離す揚力を生ずる。典型的に、ジンバル１１は、スライダ１０にディスク１４の表面微細構造を追従させる、弾性ばねである。ジンバル１１は、アーム１２と点接触しているくぼみ（図示せず）を含む。このくぼみがピボットとなり、その周りにスライダ１０が縦揺れおよび横揺れしてディスク１４の表面微細構造を追従する。変換回路装置が、ディスク１４上の情報を読み書きするために、スライダ１０上のヘッド５０（磁気抵抗性または磁気光学型）に結合する。この点まで説明した素子は、一般的にディスクドライブの設計で普通である。
【００１０】
図２は、本発明によるスライダ１０の側面図である。スライダ１０は、スライダ１０の後縁に配置された磁気抵抗または磁気光学素子５０を含み、それは、磁気抵抗ヘッドまたは磁気光学素子等のような、どの様な型式の変換素子でもよい。スライダ１０は、一般的にディスク１４の表面５６に向いた、空気軸受面５４を担持する主本体部５２も含む。スライダ１０は、本発明に従って接触または摩耗パッド５８および６０を備える。
【００１１】
図３は、パッド５８および６０の他に、摩耗パッド６２および６４を示す、スライダ１０の底面図である。その上、図３は、空気軸受面５４を詳細に示す。図示の例では、空気軸受面５４が段６６、６８および７０を有する多段空気軸受面であり、作動中最大減衰効力を発揮するように設計されている。しかし、空気軸受面５４は、一般的に概略的な形で示し、本発明は図示する特定の実施例に限定されないので、どんな種類の空気軸受面５４を使ってもよい。その上、パッドを幾つ使ってもよく、それらの特定の形を所望通りに変えてもよい。一好適実施例では、単一パッド８０を使い、ヘッド５０の僅かに前に配置してもよい。一好適実施例では、パッド５８、６０、６２および６４をダイヤモンド状炭素（ＤＬＣ）のような硬質材料で作っても（または被っても）よい。空気軸受面５４は、接触パッド５８〜６４の高さによって保証される、与えられた称呼離隔距離を達成するために、所望通りに、正味揚力をもたらし、または正味揚力をもたらさないように設計してもよい。
【００１２】
本発明は、空気軸受、予荷重力およびパッド高さの間で到達する平衡がある設計を提供する。これは、磁気抵抗ヘッドが凹凸に接触することなくディスクに出来るだけ近く浮動することを保証する。空気軸受面に関する利点には、ディスクドライブシステムが外部衝撃に曝されたとき、非常に有用な減衰がある。そのような衝撃は、特にラップトップまたはポータブルコンピュータに問題である。更に、空気軸受面５４は、図２に８０で一般的に示す合成空気軸受が揚力をもたらし始め且つパッド５８〜６４が摩耗し始めるように設計することができる。もし、この空気軸受が負の空気軸受部を含むならば、パッドが摩耗しているとき、空気軸受面の正の部分が追加の揚力を生じ、それによって空気軸受面の確実な隙間を提供するように、初期動作中にこの負の空気軸受部が飽和することが望ましい。摩耗期の後に負の正味吸引力を使い、それによってより効果的な減衰をもたらすことを含む、その他の設計戦略を採用することができる。
【００１３】
本発明の揚力は、図４に示すような単純なグラフに従うように設計することができる。図４は、ディスク表面５６からのスライダ１０の離隔距離、空気軸受８０のために空気軸受面５４によってもたらされる揚力、および予荷重揚力およびその他の効果によるパッドとディスク表面５６の間の接触力の間の関係を示す。揚力と接触力の和は、スライダ上の予荷重力に等しい。境界面は、パッド５８〜６４が摩耗すると、揚力が既存の接触力と釣合い、それによって“浮動”境界面へ移行するように設計することができる。スライダ１０が初期摩耗期の後にディスク表面５６と弾性接触する、中間形態も可能である。
【００１４】
スライダ１０の作用を誇張した形で図５に図解する。スライダ１０は、前縁でピッチアップする傾向があるので、後縁からの高さｈおよび位置ｌを、ｈがｔａｎ（α）・ｌ＋ｄに等しいように選ぶ。但し、αはピッチ角であり、ｄは、ヘッド５０とディスク表面５６の間を分離する小さい値である。本発明で、高さｈは、パッドが摩耗するので、スライダが平衡状態になる時点まで減少する。
【００１５】
図６は、典型的製造プロセスからの浮動高さに対するヘッドの分布を示すグラフである。本発明は、ディスク表面と接触するようになるヘッドに使用するとき有効である。従来技術では、これらのヘッドは典型的には廃棄されるだろう。本発明で、これらのヘッドを使うことができ、接触パッドが空気軸受からの揚力とアーマチュアからの予荷重力の間の差を補償するだろう。例えば、もし、予荷重力が４．９０ｍＮ（５００ｍｇ）で揚力が３．９２ｍＮ（４００ｍｇ）であれば、パッド上の接触力は、０．９８ｍＮ（１００ｍｇ）だろう。このパッドは、このパッドが丁度僅かにディスク表面に接触する点まで摩耗するのが好ましい。
【００１６】
本発明は、既存のスライダ設計に容易に適用可能である。本発明は、製造中に正確な浮動高さ管理が必要ない。この空気軸受は、ポータブル装置に必要なような、高い予荷重力に対応するために、正味揚力を達成するように設計することができる。本発明は、パッドが摩耗すると、接触技術から浮動技術へ移行させる。パッドの高さは、必ずしも同じではない。例えば、前パッドは、高く設計し、それによって離昇中に追加の揚力をもたらして接触が後パッドに沿ってだけ起るようにすることが出来る。更に、本発明は、独立の空気軸受領域を含み、それらが各パッドを囲んで各微小空気軸受が減衰と持上げの両方の機能をもたらすように拡張することができる。
【００１７】
本発明によるスライダは、アディティブ法またはサブトラクティブ法、機械加工、ミリング加工（milling）等を含む、既知のスライダ形成技術を使って製造できる。パッドは、一体の部品として作ってもよく、またはスライダ主本体と別に堆積してもよい。制作中にＤＬＣに水素を添加することによって、種々のパッド硬度を達成できる。更に、本発明では、スライダがディスク表面に接触するとき、実際の接触面積が、従来技術の設計のようにスライダ表面全体に亘るのではなく、比較的小さなパッド面積に亘ることに注目すべきである。例えば、１０，０００μｍ2である。
【００１８】
好適実施例を参照して本発明を説明してきたが、当業者には、本発明の精神および範囲から逸脱することなく、形および細部に変更をなし得ることが分るだろう。
【図面の簡単な説明】
【図１】  本発明によるスライダを有するディスク記憶システムの平面図である。
【図２】  本発明によるスライダの側面図である。
【図３】  図２のスライダの底面図である。
【図４】  スライダによってもたらされる揚力に対するスライダとディスク表面の間の離隔距離のグラフである。
【図５】  スライダピッチ、パッド位置およびパッド高さの間の幾何学的関係を示す、単純化した概略図である。
【図６】  典型的スライダの浮動高さ分布を示す。
【図１】
0004392986.tif 000002
【図２】
0004392986.tif 000003
【図３】
0004392986.tif 000004
【図４】
0004392986.tif 000005
【図５】
0004392986.tif 000006
【図６】
0004392986.tif 000007